(57)【要約】【課題】回動部材の外周部にがたつきが発生するのを抑制することが可能な表示画面旋回装置を提供する。【解決手段】この表示画面旋回装置２０は、ディスプレイ本体１０が取り付けられ、水平面内で回動可能な旋回板３１と、旋回板３１とを回動可能に保持するとともに絞り形状の凸部３４ａが設けられた台座３４と、台座３４の凸部３４ａに、旋回板３１が上方に浮くのを防止するように取り付けられる浮止部材３５とを備えている。そして、浮止部材３５は、旋回板３１の上面が配置される領域の上方に設けられた浮止部３４ａと、浮止部材３５を凸部３４ａに取り付けるための取付部３５ｂと、浮止部３５ａと取付部３５ｂとの間に設けられ、台座３４に当接することにより台座３４と浮止部材３５との間隔を所定の間隔に維持する脚部３５ｃとを含む。【選択図】図６
0003128970.tif 000002
【実用新案登録請求の範囲】
【請求項１】
表示画面部が取り付けられ、水平面内で回動可能な回動部材を備えた表示画面旋回装置において、
前記回動部材を回動可能に保持するとともに絞り形状の凸部が設けられた台座と、
前記台座の前記凸部に、前記回動部材の外周部が上方に浮くのを防止するように取り付けられる浮止部材とを備え、
前記浮止部材は、前記回動部材の外周部近傍の上面が配置される領域の上方に前記回動部材の上面と接触しないように設けられた浮止部と、前記浮止部材を前記凸部に取り付けるための取付部と、前記浮止部と前記取付部との間に設けられ、前記台座の上面に当接することにより前記台座の上面と前記浮止部材の前記浮止部との間隔を所定の間隔に維持する脚部と、前記浮止部と前記取付部とを接続する垂直方向に延びる接続部とを含み、
前記浮止部材は、板状の部材からなり、
前記板状の部材からなる浮止部材に設けられた前記脚部は、厚み方向の側端面部で前記回動部材の外周面と当接するように構成されており、
前記浮止部材の少なくとも前記接続部と前記取付部との境界部分には、穴部が形成されており、
前記脚部が前記台座に当接する当接面の前記回動部材側の端部と、前記取付部の取付位置との距離は、前記端部と前記浮止部との距離よりも大きく、
前記浮止部の前記回動部材の上面と対向する部分には、前記回動部材の上面側に突出する突起部が形成されている、表示画面旋回装置。
【請求項２】
表示画面部が取り付けられ、水平面内で回動可能な回動部材と、
前記回動部材を回動可能に保持するとともに絞り形状の凸部が設けられた台座と、
前記台座の前記凸部に、前記回動部材の外周部が上方に浮くのを防止するように取り付けられる浮止部材とを備え、
前記浮止部材は、前記回動部材の外周部近傍の上面が配置される領域の上方に前記回動部材の上面と接触しないように設けられた浮止部と、前記浮止部材を前記凸部に取り付けるための取付部と、前記浮止部と前記取付部との間に設けられ、前記台座の上面に当接することにより前記台座の上面と前記浮止部材の前記浮止部との間隔を所定の間隔に維持する脚部とを含む、表示画面旋回装置。
【請求項３】
前記浮止部材は、板状の部材からなり、
前記板状の部材からなる浮止部材に設けられた前記脚部は、厚み方向の側端面部で前記回動部材の外周面と当接するように構成されている、請求項２に記載の表示画面旋回装置。
【請求項４】
前記浮止部材は、前記浮止部と前記取付部とを接続する垂直方向に延びる接続部をさらに含み、
前記浮止部材の少なくとも前記接続部と前記取付部との境界部分には、穴部が形成されている、請求項２または３に記載の表示画面旋回装置。
【請求項５】
前記脚部が前記台座に当接する当接面の前記回動部材側の端部と、前記取付部の取付位置との距離は、前記端部と前記浮止部との距離よりも大きい、請求項２〜４のいずれか１項に記載の表示画面旋回装置。
【請求項６】
前記浮止部の前記回動部材の上面と対向する部分には、前記回動部材の上面側に突出する突起部が形成されている、請求項２〜５のいずれか１項に記載の表示画面旋回装置。
【考案の詳細な説明】
【技術分野】
【０００１】
この考案は、表示画面旋回装置に関し、特に、水平面内で回動可能な回動部材を備えた表示画面旋回装置に関する。
【背景技術】
【０００２】
従来、水平面内で回動可能な回動部材を備えた旋回装置が知られている（たとえば、特許文献１および２参照）。
【０００３】
上記特許文献１には、円形の凹部を有する架台と、架台の円形の凹部の上面上に回転可能に配置される円形の回転用台と、回転用台の上面上に配置されるモニタ−ディスプレイを搭載するモニター台とを備えた回転台装置が開示されている。この特許文献１に記載の回転台装置では、先端にネジとの結合穴（ネジ穴）を有する軸状のポストを、モニター台に設けられた開口部から、回転用台の中央に設けられた貫通孔および架台の中央に設けられた開口部に貫通させるとともに、架台の下面からポストに設けられたネジとの結合穴をネジを用いてネジ止めすることにより、モニター台と、回転用台と、架台とを固定するように構成されている。
【０００４】
また、上記特許文献２には、円形の上板と、円形の下板と、円形の上板と円形の下板との間に設けられ、複数の鋼球と、複数の鋼球を保持する保持器とからなる回転可能な回転支持板とを備えた回転盤が開示されている。この特許文献２に記載の回転盤では、下端にフランジ部を有する固定軸を、下板の中央に設けられた軸穴と、回転支持板の中央に設けられた軸穴と、上板の中央に設けられた固定穴とに、下板の下面側から貫通させるとともに、上板の上面から突出した固定軸の端部をかしめることにより、上板と回転支持板と下板とを固定するように構成されている。
【０００５】
【特許文献１】特開昭６２−１３８８８５号公報
【特許文献２】実開平４−６１３８５号公報
【考案の開示】
【考案が解決しようとする課題】
【０００６】
しかしながら、上記特許文献１に記載の回転台装置では、回転用台の中央部分が軸状のポストにより回転可能に固定されているので、回転用台の中央部分のがたつきを抑制することが可能である一方、回転用台の外周部に発生するがたつき（浮き）を抑制することが困難であるという問題点がある。
【０００７】
また、上記特許文献２に記載の回転盤では、回転支持板の中央部分が固定軸により回転可能に固定されているので、回転支持板の中央部分のがたつきを抑制することが可能である一方、回転支持板の外周部に発生するがたつき（浮き）を抑制することが困難であるという問題点がある。
【０００８】
この考案は、上記のような課題を解決するためになされたものであり、この考案の１つの目的は、回動部材の外周部にがたつきが発生するのを抑制することが可能な表示画面旋回装置を提供することである。
【課題を解決するための手段および考案の効果】
【０００９】
この考案の第１の局面による表示画面旋回装置は、回動部材を回動可能に保持するとともに絞り形状の凸部が設けられた台座と、台座の凸部に、回動部材の外周部が上方に浮くのを防止するように取り付けられる浮止部材とを備え、浮止部材は、回動部材の外周部近傍の上面が配置される領域の上方に回動部材の上面と接触しないように設けられた浮止部と、浮止部材を凸部に取り付けるための取付部と、浮止部と取付部との間に設けられ、台座の上面に当接することにより台座の上面と浮止部材の浮止部との間隔を所定の間隔に維持する脚部と、浮止部と取付部とを接続する垂直方向に延びる接続部とを含み、浮止部材は、板状の部材からなり、板状の部材からなる浮止部材に設けられた脚部は、厚み方向の側端面部で回動部材の外周面と当接するように構成されており、浮止部材の少なくとも接続部と取付部との境界部分には、穴部が形成されており、脚部が台座に当接する当接面の回動部材側の端部と、取付部の取付位置との距離は、端部と浮止部との距離よりも大きく、浮止部の回動部材の上面と対向する部分には、回動部材の上面側に突出する突起部が形成されている。
【００１０】
この第１の局面による表示画面旋回装置では、上記のように、回動部材の外周部近傍の上面が配置される領域の上方に設けられた浮止部を含む浮止部材を備えることにより、回動部材に回動部材の外周部を上方に移動させる力が働いた場合でも、浮止部によって回動部材の外周部が上方に浮くのを抑制することができるので、回動部材の外周部にがたつき（浮き）が発生するのを抑制することができる。また、浮止部材を、浮止部と浮止部材を台座の凸部に取り付けるための取付部との間に、台座の上面に当接することにより台座の上面と浮止部材の浮止部との間隔を所定の間隔に維持する脚部を含むように構成することによって、台座の絞り形状の凸部の高さが寸法精度のばらつきに起因して所定の高さよりも低く形成された場合でも、脚部により浮止部材の浮止部と回動部材とが接触するのを抑制することができる。
【００１１】
また、板状の部材からなる浮止部材に設けられた脚部を、厚み方向の側端面部で回動部材の外周面と当接するように構成することによって、たとえば回動部材の外周面の等角度間隔の４点に板状の部材からなる浮止部材に設けられた脚部が当接するように浮止部材を配置することにより、容易に、回動部材の水平方向の位置決めを行なうことができる。また、浮止部材を、浮止部と取付部とを接続する垂直方向に延びる接続部をさらに含むように構成するとともに、浮止部材の少なくとも接続部と取付部との境界部分に、穴部を形成することによって、穴部が設けられない場合よりも接続部と取付部との境界部分の機械的強度が小さくなるので、接続部と取付部との境界部分を撓みやすくすることができる。これにより、台座の絞り形状の凸部の高さが寸法精度のばらつきに起因して設計寸法からずれた場合でも、接続部と取付部との接続部分を撓ませて台座の凸部の高さ寸法の設計寸法に対するずれ量を吸収することができるので、脚部の高さを調節することなしに台座の凸部と浮止部材とを確実に固定することができる。また、脚部が台座に当接する当接面の回動部材側の端部と取付部の取付位置との距離を、端部と浮止部との距離よりも大きくなるように構成することによって、台座の凸部の高さ寸法にばらつきがある場合、浮止部材が台座の凸部に固定されたときに、浮止部材は、脚部の端部を支点として浮止部側または取付部側に傾く。この場合でも、脚部の端部と取付部の取付位置との距離が、脚部の端部と浮止部との距離よりも大きいので、浮止部の傾き量（高さ方向の移動量）は、取付部が取り付けられる台座の高さ寸法の設計寸法に対するずれ量よりも小さい。これにより、脚部がない場合に比べて、浮止部と回動部材との間隔の変動量を小さくすることができるので、浮止部が回動部材に接触するのをより抑制することができる。また、浮止部の回動部材と対向する部分に、回動部材の上面側に突出する突起部を形成することによって、取付部が取り付けられる台座の凸部の高さ寸法のばらつきに起因して浮止部と回動部材との間隔にばらつきが発生する場合でも、浮止部の回動部材と対向する面に形成される突起部の突出量を調節することによって、浮止部と回動部材との間隔を調整することができるので、浮止部と回動部材との間隔の精度を高めることができる。
【００１２】
この考案の第２の局面による表示画面旋回装置は、表示画面部が取り付けられ、水平面内で回動可能な回動部材と、回動部材を回動可能に保持するとともに絞り形状の凸部が設けられた台座と、台座の凸部に、回動部材の外周部が上方に浮くのを防止するように取り付けられる浮止部材とを備え、浮止部材は、回動部材の外周部近傍の上面が配置される領域の上方に回動部材の上面と接触しないように設けられた浮止部と、浮止部材を凸部に取り付けるための取付部と、浮止部と取付部との間に設けられ、台座の上面に当接することにより台座の上面と浮止部材の浮止部との間隔を所定の間隔に維持する脚部とを含む。
【００１３】
この第２の局面による表示画面旋回装置では、上記のように、回動部材の外周部近傍の上面が配置される領域の上方に設けられた浮止部を含む浮止部材を備えることにより、回動部材に回動部材の外周部を上方に移動させる力が働いた場合でも、浮止部によって回動部材の外周部が上方に浮くのを抑制することができるので、回動部材の外周部にがたつき（浮き）が発生するのを抑制することができる。また、浮止部材を、浮止部と浮止部材を台座の凸部に取り付けるための取付部との間に、台座の上面に当接することにより台座の上面と浮止部材の浮止部との間隔を所定の間隔に維持する脚部を含むように構成することによって、台座の絞り形状の凸部の高さが寸法精度のばらつきに起因して所定の高さよりも低く形成された場合でも、脚部により浮止部材の浮止部と回動部材とが接触するのを抑制することができる。
【００１４】
上記第２の局面による表示画面旋回装置において、好ましくは、浮止部材は、板状の部材からなり、板状の部材からなる浮止部材に設けられた脚部は、厚み方向の側端面部で回動部材の外周面と当接するように構成されている。このように構成すれば、たとえば回動部材の外周面の等角度間隔の４点に板状の部材からなる浮止部材に設けられた脚部が当接するように浮止部材を配置することにより、容易に、回動部材の水平方向の位置決めを行なうことができる。
【００１５】
上記第２の局面による表示画面旋回装置において、好ましくは、浮止部材は、浮止部と取付部とを接続する垂直方向に延びる接続部をさらに含み、浮止部材の少なくとも接続部と取付部との境界部分には、穴部が形成されている。このように構成すれば、穴部が設けられない場合よりも接続部と取付部との境界部分の機械的強度が小さくなるので、接続部と取付部との境界部分を撓みやすくすることができる。これにより、台座の絞り形状の凸部の高さが寸法精度のばらつきに起因して設計寸法からずれた場合でも、接続部と取付部との接続部分を撓ませて台座の凸部の高さ寸法の設計寸法に対するずれ量を吸収することができるので、脚部の高さを調節することなしに台座の凸部と浮止部材とを確実に固定することができる。
【００１６】
上記第２の局面による表示画面旋回装置において、好ましくは、脚部が台座に当接する当接面の回動部材側の端部と、取付部の取付位置との距離は、端部と浮止部との距離よりも大きい。このように構成すれば、台座の凸部の高さ寸法にばらつきがある場合、浮止部材が台座の凸部に固定されたときに、浮止部材は、脚部の端部を支点として浮止部側または取付部側に傾く。この場合でも、脚部の端部と取付部の取付位置との距離が、脚部の端部と浮止部との距離よりも大きいので、浮止部の傾き量（高さ方向の移動量）は、取付部が取り付けられる台座の高さ寸法の設計寸法に対するずれ量よりも小さい。これにより、脚部がない場合に比べて、浮止部と回動部材との間隔の変動量を小さくすることができるので、浮止部が回動部材に接触するのをより抑制することができる。
【００１７】
上記第２の局面による表示画面旋回装置において、好ましくは、浮止部の回動部材の上面と対向する部分には、回動部材の上面側に突出する突起部が形成されている。このように構成すれば、取付部が取り付けられる台座の凸部の高さ寸法のばらつきに起因して浮止部と回動部材との間隔にばらつきが発生する場合でも、浮止部の回動部材と対向する部分に形成される突起部の突出量を調節することによって、浮止部と回動部材との間隔を調整することができるので、浮止部と回動部材との間隔の精度を高めることができる。
【考案を実施するための最良の形態】
【００１８】
以下、本考案を具体化した実施形態を図面に基づいて説明する。
【００１９】
図１は、本考案の一実施形態による表示画面旋回装置が設けられた液晶テレビジョンの全体構成を示した斜視図である。図２は、図１に示した一実施形態による表示画面旋回装置が設けられた液晶テレビジョンの分解斜視図である。図３は、図１に示した一実施形態による表示画面旋回装置の平面図である。図４〜図１２は、図１に示した一実施形態による表示画面旋回装置の詳細構造を示した図である。まず、図１〜図１２を参照して、本考案の一実施形態による表示画面旋回装置２０および表示画面旋回装置２０が設けられた液晶テレビジョン１００の構造について説明する。なお、本実施形態では、表示装置の一例である液晶テレビジョンの表示画面旋回装置に本考案を適用した場合について説明する。
【００２０】
本考案の一実施形態による表示画面旋回装置２０は、図１に示すように、表示画面支持機構５０によって支持されている液晶テレビジョン１００のディスプレイ本体１０を左右方向（矢印Ａ方向およびＢ方向）に（本実施形態では±３０度）旋回させるために設けられている。なお、ディスプレイ本体１０は、本考案の「表示画面部」の一例である。
【００２１】
また、表示画面旋回装置２０は、図３に示すように、表示画面支持機構５０によって支持されているディスプレイ本体１０（図２参照）を水平面内で左右方向（図１の矢印Ａ方向およびＢ方向）に旋回させるための旋回部３０と、後述する旋回板３１を旋回させるために設けられた、後述する複数のギアなどからなる駆動部４０とから構成されている。
【００２２】
また、旋回部３０は、図４および図５に示すように、表示画面支持機構５０（図２参照）が取り付けられる板金製の旋回板３１と、後述する保持部材３３の貫通孔３３ａに配置される２４個の鋼球３２と、鋼球３２を回転可能に保持する樹脂製の保持部材３３と、板金製の台座３４と、板金製の浮止部材３５（本実施形態では４つ）とから構成されている。なお、旋回板３１は、本考案の「回動部材」の一例である。
【００２３】
また、樹脂製の保持部材３３は、図５に示すように、平面的に見て円環状に形成されている。また、保持部材３３には、平面的に見て略矩形形状（本実施形態では略正方形）を有する貫通孔３３ａが所定の間隔を隔てて２４個形成されている。また、保持部材３３は、鋼球３２の直径よりも小さい高さを有するとともに、旋回板３１の外周面３１ａと実質的に等しい大きさの直径を有する。したがって、図４に示すように、保持部材３３の貫通孔３３ａ（図５参照）に装填された複数の鋼球３２が、上下方向から旋回板３１と台座３４とに挟まれることによって、旋回板３１は、台座３４上で左右方向（図４の矢印Ａ方向および矢印Ｂ方向）に回動可能なように構成されている。
【００２４】
また、図５に示すように、板金製の平板状の台座３４には、上方向に凸の絞り形状を有する凸部３４ａがプレス加工（絞り加工）により形成されている。この凸部３４ａの台座３４の上面からの突出量（図１０のＤ２）は約２．９５ｍｍである。また、凸部３４ａの上面上には、後述する浮止部材３５の位置決めをするための突起部３４１ａが設けられている。また、凸部３４ａは、旋回板３１の外周面３１ａおよび保持部材３３の外側ガイド部３３ｂをともに取り囲むように等角度間隔（本実施形態では９０度間隔）に形成されている。また、各凸部３４ａには、図５に示すように、浮止部材３５が取り付けられる部分に、２つのネジ取付孔３４ｂが設けられている。また、台座３４には、図５に示すように、上方向に凸形状のネジ挿入孔３４ｃが設けられており、図示しないネジによりネジ挿入孔３４ｃを介して、後述する樹脂製のカバー部材２１（図２参照）が台座３４に取り付けられるように構成されている。また、図５に示すように、台座３４には、金属製の回動軸部３４ｄがカシメ加工により取り付けられている。また、旋回板３１に設けられた貫通孔３１ｂに台座３４に取り付けられた回動軸部３４ｄを挿入するとともに、旋回板３１の貫通孔３１ｂから突出した回動軸部３４ｄの部分の外側面に円周状に設けられた溝部３４１ｄにＥリング３６を回動軸部３４ｄの軸に直交する方向から挿入することによって、鋼球３２および保持部材３３が旋回板３１と台座３４との間に配置されるように構成されている。
【００２５】
ここで、本実施形態では、図６〜図９に示すように、板金製の板状部材からなる浮止部材３５は、旋回板３１（図５参照）の外周部近傍の上面が配置される領域の上方に設けられた浮止部３５ａと、浮止部材３５を台座３４の凸部３４ａに取り付けるための取付部３５ｂと、台座３４の上面に当接することにより台座３４と浮止部材３５との間隔を所定の間隔に維持する脚部３５ｃと、浮止部３５ａと取付部３５ｂとを接続する垂直方向に延びる接続部３５ｄとから構成されている。
【００２６】
また、本実施形態では、図７、図９および図１０に示すように、浮止部３５ａには、ハーフパンチ加工によって旋回板３１の上面側に突出する約０．５ｍｍの厚みを有する突起部３５１ａが設けられている。また、ハーフパンチ加工によって突起部３５１ａを形成することによって、突起部３５１ａの旋回板３１の上面に対向する一方面３５２ａは、水平に形成することが可能となる。また、突起部３５１ａは、浮止部材３５が台座３４の凸部３４ａに取り付けられた状態において、旋回板３１の上面からの距離Ｄ１が、約０．２ｍｍになるように形成されている。
【００２７】
また、図６〜図９に示すように、旋回板３１（図５参照）の回転軸方向の浮止部３５ａの端面３５３ａは、旋回板３１（図５参照）が旋回するときに、後述する樹脂製の旋回ギア部材４８が浮止部材３５に当接するのを回避するために凹形状に湾曲するように形成されている。
【００２８】
また、図６〜図９に示すように、取付部３５ｂには、浮止部材３５を台座３４の凸部３４ａにネジ７０（図５参照）を用いて取り付けるための、ネジ取付孔３５１ｂおよびネジ取付孔３５２ｂが設けられている。ネジ取付孔３５１ｂは、台座３４に対して平面的に見て真円状に形成されている。また、ネジ取付孔３５２ｂは、台座３４の凸部３４ａに設けられた２つのネジ取付孔３４ｂの間隔が設計寸法からずれた場合に、浮止部材３５をネジ７０を用いて台座３４の凸部３４ａに固定できるように、台座３４に対して平面的に見て長穴形状に形成されている。また、取付部３５ｂには、台座３４の凸部３４ａの上面上に設けられた位置決め用の突起部３４１ａ（図５参照）と係合することにより、浮止部材３５の位置決めを行なう凹状の係合部３５３ｂが設けられている。
【００２９】
また、本実施形態では、図６および図７に示すように、板状部材からなる浮止部材３５には、浮止部３５ａから垂直下方に折り曲げられるように脚部３５ｃが設けられている。また、図１０に示すように、脚部３５ｃは、浮止部材３５が台座３４の凸部３４ａに取り付けられた状態において、脚部３５ｃの下端の当接面３５１ｃが台座３４の上面に当接することにより、台座３４の上面と浮止部材３５の下面との間隔（凸部３４ａの突出量）Ｄ２が約２．９５ｍｍになるように構成されている。また、脚部３５ｃは、浮止部材３５が台座３４の凸部３４ａに取り付けられた状態において、脚部３５ｃの厚み方向の側端面部３５２ｃにより旋回板３１の外周面３１ａおよび保持部材３３の外周面３３ｂの位置決めが行なわれるように構成されている。
【００３０】
また、図５に示すように、４つの浮止部材３５の浮止部３５ａによって、旋回板３１が左右方向（図４の矢印Ａ方向および矢印Ｂ方向）に回動する際に、旋回板３１の外周部および保持部材３３が垂直方向に移動するのが抑制されるように構成されている。
【００３１】
また、本実施形態では、図６〜図９に示すように、浮止部３５ａと取付部３５ｂとを接続する垂直方向に延びる接続部３５ｄの、接続部３５ｄと取付部３５ｂとの境界部分には、切欠形状の穴部３５１ｄが形成されている。また、この切欠形状の穴部３５１ｄは、平面的に見てＵ字形状を有するとともに、取付部３５ｂに設けられた係合部３５３ｂに繋がっているとともに、浮止部３５ａの一部にまで達している。また、切欠形状の穴部３５１ｄは、脚部３５ｃと接続部３５ｄとを分離するように設けられている。これにより、接続部３５ｄと取付部３５ｂとの接続部分は、切欠形状の穴部３５１ｄが形成されない場合よりも機械的強度が小さくなり、撓みやすくなるように構成されている。
【００３２】
また、本実施形態では、図１０に示すように、浮止部材３５が台座３４の凸部３４ａに取り付けられた状態において、脚部３５ｃが台座３４に当接する当接面３５１ｃの回動部材側の端部３５３ｃと取付部３５ｂの取付位置との距離Ｄ３は、端部３５３ｃと浮止部３５ａとの距離Ｄ４よりも大きくなるように構成されている。
【００３３】
また、駆動部４０は、図３および図５に示すように、旋回部３０上の旋回板３１を水平面内で左右方向（図１の矢印Ａ方向およびＢ方向）に回動させるための伝達ギア部４１と、伝達ギア部４１の駆動源となるステッピングモータ４２とから構成されている。また、伝達ギア部４１は、図３に示すように、樹脂製のギア４３と、トルクリミッタ６０と、樹脂製のギア４４と、樹脂製のギア４５とが樹脂製のギアボックス４６に配置されるように構成されている。
【００３４】
また、図１１に示すように、ステッピングモータ４２の回転軸には、樹脂製のウォームギア４７が圧入されている。また、図１１および図１２に示すように、ギア４３は、大径ギア部４３ａと、小径ギア部４３ｂとを一体的に含んでいる。また、ギア４４は、大径ギア部４４ａと、小径ギア部４４ｂとを一体的に含んでいる。また、ギア４５は、大径ギア部４５ａと、小径ギア部４５ｂとを一体的に含んでいる。また、図３、図５および図１１に示すように、旋回部３０の旋回板３１の上面には、樹脂製の旋回ギア部材４８が、４つのネジ７０によって固定されている。なお、図１１では、伝達ギア部４１の構成を説明するために、伝達ギア部４１およびステッピングモータ４２を内部に配置するためのギアボックス４６（図３参照）を図面から省略している。
【００３５】
また、図１１および図１２に示すように、ウォームギア４７は、ギア４３の大径ギア部４３ａに、回転軸が直交するように噛合されているとともに、ギア４３の小径ギア部４３ｂは、トルクリミッタ６０の原動側ギア６２のギア部６２ａ（図１２参照）に回転軸が平行に噛合されている。また、図１１および図１２に示すように、トルクリミッタ６０の従動側ギア６１のギア部６１ａ（図１２参照）は、ギア４４の大径ギア部４４ａに回転軸が平行に噛合されているとともに、ギア４４の小径ギア部４４ｂは、ギア４５の大径ギア部４５ａに回転軸が平行に噛合されている。また、図１１および図１２に示すように、ギア４５の小径ギア部４５ｂは、旋回ギア部材４８の旋回ギア部４８ａに回転軸が平行に噛合されている。したがって、図１１および図１２に示す上述のギア部材の配置関係から、ステッピングモータ４２の駆動力が、ウォームギア４７、ギア４３、トルクリミッタ６０、ギア４４、ギア４５および旋回ギア部材４８を介して旋回板３１へと伝達されるように構成されている。
【００３６】
また、トルクリミッタ６０は、図１１および図１２に示すように、樹脂製の従動側ギア６１と、樹脂製の原動側ギア６２と、金属製のバネ部材６３（コイルバネ）とから構成されている。また、トルクリミッタ６０は、ステッピングモータ４２の駆動力が所定の駆動トルク以下の場合に、ステッピングモータ４２の駆動力を伝達ギア部４１を介して旋回部３０に伝達することによって旋回板３１を表示画面旋回装置２０の内部で旋回させることが可能であるとともに、ステッピングモータ４２の駆動力が所定の駆動トルク以上となった場合には、ステッピングモータ４２の駆動力が旋回部３０に伝達されないような機能を有するように構成されている。
【００３７】
また、表示画面支持機構５０は、図３に示すように、表示画面旋回装置２０の旋回板３１の上面に設けられている。また、表示画面支持機構５０は、表示画面支持部材５１と、表示画面支持部材５１を補強するための補強部材５２とにより構成されている。この表示画面支持部材５１および補強部材５２は、２つのネジ７０によって旋回板３１に固定されているとともに、旋回板３１の表面に対して垂直方向に延びるように設けられている。また、表示画面支持部材５１は、補強部材５２と隣接するように設けられているとともに、３つのネジ７０により補強部材５２と連結されている。
【００３８】
また、図１および図２に示すように、ディスプレイ本体１０は、樹脂製のフロントキャビネット１１と、樹脂製のリアキャビネット１２とから構成されている。また、ディスプレイ本体１０の内部には、液晶パネル（図示せず）が取り付けられた液晶モジュール（図示せず）が、フロントキャビネット１１およびリアキャビネット１２とによって取り囲まれるように構成されている。また、ディスプレイ本体１０は、表示画面支持部材５１のネジ挿入孔５１ａ（図２参照）および５１ｂ（図２参照）を介して、ネジ取付孔（図示せず）にネジ７０が締め付けられることにより、表示画面支持部材５１に取り付けられている。また、リアキャビネット１２には、表示画面支持部材５１を覆い隠して配置するための穴部１２ａが一体的に設けられている。また、リアキャビネット１２の外周部には、複数のネジ挿入孔１２ｂ（本実施形態では７個所）が設けられ、ネジ８０によってフロントキャビネット１１に取り付けられるように構成されている。
【００３９】
また、表示画面旋回装置２０には、図１および図２に示すように、樹脂製のカバー部材２１がネジ（図示せず）によって旋回部３０の台座３４に台座３４の下面側から取り付けられている。また、図１および図２に示すように、樹脂製のカバー部材２２が上方から旋回部３０を覆うとともに、旋回部３０の旋回板３１とともに水平方向（図１の矢印Ａ方向およびＢ方向）に旋回することが可能なように取り付けられている。また、図１および図２に示すように、樹脂製のカバー部材２２には、表示画面支持機構５０が挿入されるための穴部２２ａが設けられている。
【００４０】
図１３および図１４は、図１に示した本考案の一実施形態による表示画面旋回装置の旋回動作を説明するための図である。図１、図３、図４、図１１、図１２、図１３および図１４を参照して、本実施形態による表示画面旋回装置２０の水平面内における左右方向の旋回動作について説明する。
【００４１】
まず、図３に示すように、表示画面支持部材５１が旋回部３０上の旋回板３１に対して垂直であるとともに正面を向いた状態（旋回ギア部材４８の旋回ギア部４８ａの中央部がギア４５の小径ギア部４５ｂと噛合している状態）から、ユーザが付属リモコン（図示せず）のオートターンボタン（図示せず）を押圧することによって、ディスプレイ本体１０（図１参照）を右方向（図１の矢印Ａ方向）に旋回させる信号がディスプレイ本体１０の制御回路部（図示せず）に送信される。この信号に基づいて、表示画面旋回装置２０のステッピングモータ４２が駆動される。具体的には、図３に示すように、ステッピングモータ４２が駆動するのに伴って、ステッピングモータ４２に取り付けられたウォームギア４７が矢印Ｅ１方向（図１１参照）に回転されるとともに、ギア４３が矢印Ｅ２方向（図１１参照）に回転される。そして、ギア４３を介してトルクリミッタ６０の原動側ギア６２が矢印Ｅ３方向に回転される。そして、トルクリミッタ６０の従動側ギア６１が矢印Ｅ３方向に回転されるとともに、ギア４４が矢印Ｅ４方向（図１１参照）に回転される。さらに、ギア４５が矢印Ｅ５方向（図１１参照）に回転されることによって、旋回ギア部材４８が矢印Ｅ６方向に回転される。これにより、図１３に示すように、表示画面支持部材５１が取り付けられた旋回部３０上の旋回板３１が矢印Ｇ１方向への旋回を開始するので、ディスプレイ本体１０（図１参照）は、矢印Ａ方向（図１参照）へ旋回を開始する。
【００４２】
そして、図１３に示すように、ディスプレイ本体１０（図１参照）が載置された旋回部３０上の旋回板３１が所定の回転速度で矢印Ａ方向（図１参照）への旋回を継続する。
【００４３】
このとき、旋回板３１は、ディスプレイ本体１０（図１参照）の荷重を受けた状態で旋回する。図４に示すように、４つの浮止部材３５の浮止部３５ａは、いずれも旋回板３１の上面に対して約０．２ｍｍの間隔を隔てて配置されているので、旋回板３１の外周部が浮き上がるのが抑制されながら、旋回板３１は、旋回する。
【００４４】
そして、ディスプレイ本体１０が、ユーザが希望する角度まで旋回された場合、ユーザは付属リモコン（図示せず）のオートターンボタン（図示せず）の押圧を解除することによって、ディスプレイ本体１０（図１参照）を右方向（図１の矢印Ａ方向）に旋回させる信号がディスプレイ本体１０の制御回路部（図示せず）に送信されなくなる。したがって、ステッピングモータ４２の駆動が停止される。これにより、旋回板３１は、図１３に示すような位置で矢印Ｇ１方向への旋回を停止するとともに静止される。
【００４５】
また、ディスプレイ本体１０（図１参照）の矢印Ａ方向（図１参照）への旋回動作がユーザによって継続されている状態において、旋回板３１の旋回角度が最大（本実施形態では３０度）となった場合は、旋回板３１は旋回部３０の内部に設けられたストッパ部材（図示せず）に当接することによって、矢印Ａ方向（図１参照）への旋回動作が規制される。したがって、旋回板３１は、図１４に示すような位置で矢印Ｇ１方向への旋回を停止するとともに静止される。この際、ステッピングモータ４２は駆動を継続しているので、ステッピングモータ４２から伝達される駆動トルクがウォームギア４７およびギア４３を介して、トルクリミッタ６０の原動側ギア６２まで伝達される。
【００４６】
なお、図１２に示すように、従動側ギア６１は、バネ部材６３によって予め設定された付勢力で原動側ギア６２に圧接されているために、バネ部材６３の圧接力に伴う従動側ギア６１の外周面と、原動側ギア６２の内周面との摩擦力以上の駆動トルクが原動側ギア６２に対して発生した場合は、原動側ギア６２の内周面と、従動側ギア６１の外周面とがスリップを起こすことによって、原動側ギア６２の駆動トルクが従動側ギア６１に伝達されない。つまり、旋回板３１がストッパ部材（図示せず）に当接した場合は、従動側ギア６１、ギア４４、ギア４５および旋回ギア部材４８は、原動側ギア６２の回転に関わらず回転が停止される。
【００４７】
なお、上記の旋回動作は、旋回板３１を図１３に示す矢印Ｇ１方向に旋回させる際について説明したが、矢印Ｇ１方向とは反対の矢印Ｇ２方向へ旋回板３１を旋回させる旋回動作の際も、上記と同様の旋回動作が行われることによって、旋回板３１を矢印Ｇ２方向へ旋回させるとともに、ディスプレイ本体１０（図１参照）は左方向（図１の矢印Ｂ方向）に旋回される。
【００４８】
本実施形態では、上記のように、旋回板３１の外周部近傍の上面が配置される領域の上方に設けられた浮止部３５ａを含む浮止部材３５を備えることにより、旋回板３１に旋回板３１の外周部を上方に移動させる力が働いた場合でも、浮止部３５ａによって旋回板３１の外周部が上方に浮くのを抑制することができるので、旋回板３１の外周部にがたつき（浮き）が発生するのを抑制することができる。また、浮止部材３５を、浮止部３５ａと浮止部材３５を台座３４の凸部３４ａに取り付けるための取付部３５ｂとの間に、台座３４の上面に当接することにより台座３４の上面と浮止部材３５の浮止部３５ａとの間隔を所定の間隔に維持する脚部３５ｃを含むむように構成することによって、台座３４の絞り形状の凸部３４ａの高さが寸法精度のばらつきに起因して所定の高さよりも低く形成された場合でも、脚部３５ｃにより浮止部材３５の浮止部３５ａと旋回板３１とが接触するのを抑制することができる。
【００４９】
また、本実施形態では、上記のように、板状の部材からなる浮止部材３５に設けられた脚部３５ｃを、厚み方向の側端面部３５２ｃで旋回板３１の外周面３１ａと当接するように構成することによって、浮止部材３５は、旋回板３１の外周面３１ａの等角度間隔の４点に脚部３５ｃが当接するように９０度間隔で配置されているので、旋回板３１の水平方向の位置決めを行なうことができる。
【００５０】
また、本実施形態では、上記のように、浮止部材３５を、浮止部３５ａと取付部３５ｂとを接続する垂直方向に延びる接続部３５ｄを含むように構成するとともに、接続部３５ｄと取付部３５ｂとの境界部分に、切欠形状の穴部３５１ｄが形成されている。また、この切欠形状の穴部３５１ｄは、取付部３５ｂに設けられた係合部３５３ｂに繋がっているとともに、浮止部３５ａの一部にまで達している。切欠形状の穴部３５１ｄが形成されていることにより、切欠形状の穴部３５１ｄが形成されない場合よりも、取付部３５ｂと接続部３５ｄとの境界の機械的強度が小さくなるので、取付部３５ｂと接続部３５ｄとの境界部分を撓みやすくすることができる。これにより、図１５に示すように、台座３４の絞り形状の凸部３４ａの高さＤ５が、寸法精度のばらつきに起因して、図１０に示した台座３４の凸部３４ａの高さＤ２の約２．９５ｍｍよりも小さい場合でも、接続部３５ｄと取付部３５ｂとの接続部分を撓ませて台座３４の絞り形状の凸部３４ａの高さ寸法の設計寸法に対するずれ量を吸収することができるので、脚部３４ｃの高さを調節することなしに台座３４の絞り形状の凸部３４ａと浮止部材３５とを確実に固定することができる。また、台座３４の凸部３４ａの高さＤ５が、寸法精度のばらつきに起因して図１０に示した台座３４の凸部３４ａの高さＤ２の約２．９５ｍｍよりも大きい場合でも、接続部３５ｄと取付部３５ｂとの接続部分を撓ませて台座３４の絞り形状の凸部３４ａの高さ寸法の設計寸法に対するずれ量を吸収することができるので、脚部３４ｃの高さを調節することなしに台座３４の絞り形状の凸部３４ａと浮止部材３５とを確実に固定することができる。
【００５１】
また、本実施形態では、上記のように、脚部３５ｃが台座３４に当接する当接面３５１ｃの旋回板３１側の端部３５３ｃと取付部３５ｂの取付位置との距離Ｄ３を、端部３５３ｃと浮止部３５ａとの距離Ｄ４よりも大きくなるように構成することによって、図１６に示すように、台座３４の凸部３４ａの高さ寸法が、寸法精度のばらつきに起因して、図１０に示した凸部３４ａの高さＤ２の約２．９５ｍｍよりも大きく形成され、浮止部材３５が、１点鎖線で示すように浮止部３５ａ側に傾いた場合でも、凸部３４ａの高さ寸法の設計寸法に対するずれ量Ｄ６よりも、浮止部３５ａの傾き量（高さ方向の移動量）Ｄ７の方が小さくなる。また、台座３４の凸部３４ａの高さが、図１０に示した凸部３４ａの高さＤ２の約２．９５ｍｍよりも小さく形成され、浮止部材３５が、取付部３５ｂ側に傾いた場合でも、同様に、凸部３４ａの高さ寸法の設計寸法に対するずれ量Ｄ６よりも、浮止部３５ａの傾き量（高さ方向の移動量）Ｄ７の方が小さくなる。これにより、脚部３５ｃがない場合に比べて、浮止部３５ａと旋回板３１との間隔の変動量を小さくすることができるので、浮止部３５ａが旋回板３１に接触するのを抑制することができる。
【００５２】
また、本実施形態では、上記のように、浮止部３５ａの旋回板３１と対向する部分に、旋回板３１の上面側に突出する突起部３５１ａを形成することによって、取付部３５ｂが取り付けられる台座３４の凸部３４ａに高さ寸法のばらつきに起因して浮止部３５ａと旋回板３１との間隔にばらつきが発生する場合でも、浮止部３５ａの旋回板３１の上面側に突出する突起部３５１ａの突出量を調節するによって、浮止部３５ａと旋回板３１との間隔を調整することができるので、浮止部３５ａと旋回板３１との間隔の精度を高めることができる。
【００５３】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００５４】
たとえば、上記実施形態では、表示装置の一例としての液晶テレビジョンに表示画面旋回装置を設ける例を示したが、本考案はこれに限らず、有機ＥＬパネルなどの液晶パネル以外の表示画面部（表示パネル）を有する表示装置に表示画面旋回装置を設けるようにしてもよい。
【００５５】
また、上記実施形態では、浮止部材に含まれる脚部は、浮止部から垂直下方に折り曲げられるように形成される例を示したが、本考案はこれに限らず、脚部を別の部材にして浮止部材に取り付けるようにしてもよい。
【００５６】
また、上記実施形態では、浮止部材に形成される穴部は、取付部に設けられた係合部に繋がっているとともに、浮止部の一部にまで達している例を示したが、本考案はこれに限らず、接続部と取付部の近傍にのみ穴部を設けてもよいし、穴部に代えて切欠部を設けてもよい。
【００５７】
また、上記実施形態では、浮止部材に形成される突起部の旋回板に対向する面が平坦面である例を示したが、本考案はこれに限らず、突起部の旋回板に対向する部分を球状に形成して、旋回板の外周部が上方に浮き上がった場合に、旋回板の外周部の上面と点接触するようにしてもよい。
【図面の簡単な説明】
【００５８】
【図１】本考案の一実施形態による表示画面旋回装置が設けられた液晶テレビジョンの全体構成を示した斜視図である。
【図２】図１に示した一実施形態による表示画面旋回装置が設けられた液晶テレビジョンの分解斜視図である。
【図３】図１に示した一実施形態による表示画面旋回装置の平面図である。
【図４】図１に示した一実施形態による表示画面旋回装置の旋回部の構成を説明するための斜視図である。
【図５】図１に示した一実施形態による表示画面旋回装置の旋回部の詳細構造を説明するための分解斜視図である。
【図６】本考案の一実施形態による表示画面旋回装置の浮止部材を上方から見た斜視図である。
【図７】本考案の一実施形態による表示画面旋回装置の浮止部材を下方から見た斜視図である。
【図８】本考案の一実施形態による表示画面旋回装置の浮止部材を上方から見た平面図である。
【図９】本考案の一実施形態による表示画面旋回装置の浮止部材を下方から見た平面図である。
【図１０】図３の１００−１００線に沿った断面図である。
【図１１】図１に示した一実施形態による表示画面旋回装置の伝達ギア部の構成を説明するための斜視図である。
【図１２】図１１の２００−２００線に沿った断面図である。
【図１３】図１に示した一実施形態による表示画面旋回装置の旋回動作を説明するための図である。
【図１４】図１に示した一実施形態による表示画面旋回装置の旋回動作を説明するための図である。
【図１５】本考案の一実施形態による表示画面旋回装置の台座の凸部が所定の高さより低いときの図３の１００−１００線に沿った断面図である。
【図１６】本考案の一実施形態による表示画面旋回装置の台座の凸部が所定の高さより高いときの図３の１００−１００線に沿った断面図である。
【符号の説明】
【００５９】
１０      ディスプレイ本体（表示画面部）
３１      旋回板（回動部材）
３１ａ    外周面
３４      台座
３４ａ    凸部
３５      浮止部材
３５ａ    浮止部
３５ｂ    取付部
３５ｃ    脚部
３５ｄ    接続部
３５１ａ  突起部
３５１ｄ  穴部
３５１ｃ  当接面
３５２ｃ  側端面部
３５３ｃ  端部
【図１】
0003128970.tif 000003
【図２】
0003128970.tif 000004
【図３】
0003128970.tif 000005
【図４】
0003128970.tif 000006
【図５】
0003128970.tif 000007
【図６】
0003128970.tif 000008
【図７】
0003128970.tif 000009
【図８】
0003128970.tif 000010
【図９】
0003128970.tif 000011
【図１０】
0003128970.tif 000012
【図１１】
0003128970.tif 000013
【図１２】
0003128970.tif 000014
【図１３】
0003128970.tif 000015
【図１４】
0003128970.tif 000016
【図１５】
0003128970.tif 000017
【図１６】
0003128970.tif 000018